(57)【要約】【課題】  本発明は、サブ光源の駆動により発生する熱量が、メイン光源に伝わることを抑制し、安定にメイン光源からの発光を得ることが可能な照明装置、およびその照明装置を用いる表示装置を提供することを目的とする。【解決手段】  本発明は、照射面から光を発するバックライト４であって、個別に発光を制御可能な複数のメイン光源６２が配置されるメイン光源基板４４と、メイン光源基板４４よりも照射面側に設けられ、個別に発光を制御可能な複数のサブ光源６１が配置される、メイン光源基板４４と異なるサブ光源基板４３と、サブ光源基板４３の裏面に配置され、サブ光源６１から発せられた熱を放散するヒートシンク４５と、メイン光源基板４４、サブ光源基板４３、およびヒートシンク４５を収容し、照射面に開口を有するバックライトケースと、を備えることを特徴とするバックライト４、およびそのバックライト４を用いる液晶表示装置１００である。【選択図】  図１
2018055881.tif 000002
【特許請求の範囲】
【請求項１】
照射面から光を発する照明装置であって、
個別に発光を制御可能な複数の第１光源が配置される第１基板と、
前記第１基板よりも前記照射面側に設けられ、個別に発光を制御可能な複数の第２光源が配置される第２基板と、
前記第２基板の裏面に配置され、前記第２光源から発せられた熱を放出する第１放熱部材と、
前記第１基板、前記第２基板、および前記第１放熱部材を収容し、前記照射面に開口を有する筺体と、
を備えることを特徴とする照明装置。
【請求項２】
前記複数の第１光源は、前記第１基板に前記照射面と平行な第１の方向に並べて配置され、
前記複数の第２光源は、前記第２基板に前記第１の方向に並べて配置され、
複数の前記第１基板と、複数の前記第２基板とが、前記照射面と平行で前記第１の方向と垂直な第２の方向に交互に配置されることを特徴とすることを特徴とする請求項１に記載の照明装置。
【請求項３】
前記第２の方向において隣接する前記第１光源の距離と、前記第１光源と前記照射面との距離は、同じであることを特徴とする請求項２に記載の照明装置。
【請求項４】
前記照射面において各第１光源から発せられた光が照射する領域は、前記照射面において各第２光源から発せられた光が照射する領域よりも大きいことを特徴とする請求項１乃至請求項３のいずれか１項に記載の照明装置。
【請求項５】
前記複数の第１光源、および前記複数の第２光源から発せられた光を、前記照射面側に反射する反射シートをさらに備え、
前記反射シートは、前記複数の第１基板と前記複数の第２基板とを覆うように配置され、かつ、前記複数の第１光源と前記複数の第２光源とが露出するための複数の開口を備えることを特徴とする請求項１乃至請求項４のいずれか１項に記載の照明装置。
【請求項６】
前記第１放熱部材は、前記第２基板の背面と、前記反射シートと、前記筺体とで囲まれた放熱空間に、前記第２基板に配置された前記複数の第２光源から発せられた熱を放散することを特徴とする請求項１乃至請求項５のいずれか１項に記載の照明装置。
【請求項７】
前記複数の第２基板それぞれに対応する複数の前記放熱空間を備え、
前記放熱空間は、隣接する他の放熱空間と、接続しないことを特徴とする請求項６に記載の照明装置。
【請求項８】
前記第１基板は、前記筺体と接触して配置し、前記複数の第１光源から発せられた熱を前記筺体に伝えることを特徴とする請求項１乃至請求項７のいずれか１項に記載の照明装置。
【請求項９】
前記筺体の背面側に設けられた第２放熱部材を備え、
前記第１光源から発せられた熱は、前記筺体と前記第２放熱部材とを介して、前記照明装置の外側に放散されることを特徴とする請求項８に記載の照明装置。
【請求項１０】
前記照射面は、長方形の形状であり、
前記第１の方向は、前記照射面の短手方向であることを特徴とする請求項１乃至請求項９のいずれか１項に記載の照明装置。
【請求項１１】
前記照射面は、長方形の形状であり、
前記第１の方向は、前記照射面の長手方向であることを特徴とする請求項１乃至請求項９のいずれか１項に記載の照明装置。
【請求項１２】
前記第１光源は、それぞれ赤色、緑色、および青色の光を発するＬＥＤ光源を少なくとも１つずつ有するＬＥＤ光源クラスタであることを特徴とする請求項１乃至請求項１１のいずれか１項に記載の照明装置。
【請求項１３】
前記第２光源は、白色光を発するＬＥＤ光源であることを特徴とする請求項１乃至請求項１２のいずれか１項に記載の照明装置。
【請求項１４】
前記照射面に配置され、前記複数の第１光源と前記複数の第２光源とから照射された光を拡散もしくは集光して透過する光学シートを備えることを特徴とする請求項１乃至請求項１３のいずれか１項に記載の照明装置。
【請求項１５】
請求項１乃至請求項１４のいずれか１項に記載の前記照明装置と、
入力画像に応じて前記照射面から発せられた光を透過して、画面に画像を表示する表示手段と、
を備えることを特徴とする表示装置。
【請求項１６】
前記画面の複数の領域に対応する前記入力画像の明るさに応じて、各領域に対応する前記第１光源と前記第２光源との発光を制御する制御手段を備えることを特徴とする請求項１５に記載の表示装置。
【請求項１７】
前記制御手段は、前記複数の領域のうち第１領域の前記入力画像の明るさが所定の明るさよりも高い場合に、前記第１領域に対応する第１光源と第２光源とが発光するように制御し、前記第１領域の前記入力画像の明るさが所定の明るさ以下である場合に、前記第１領域に対応する第１光源は発光させず、前記第１領域に対応する第２光源のみ発光するように制御することを特徴とする請求項１６に記載の表示装置。
【発明の詳細な説明】
【技術分野】
【０００１】
本発明は、照射面に光を発する照明装置と、その照明装置を用いた表示装置に関する。
【背景技術】
【０００２】
近年、より高い輝度範囲（Ｈｉｇｈ  Ｄｙｎａｍｉｃ  Ｒａｎｇｅ、ＨＤＲ）に対応した映像信号を記録、再生するための規格が策定されている。例えば、ＳＭＰＴＥで策定されたＳＴ．２０８４では、１００００ｃｄ／ｍ２までの輝度範囲に対応するデータ形式が規格化されている。
【０００３】
このような規格に準じて記録された画像を表示するためには、従来の表示装置よりも高い輝度を表示可能であり、かつ高いコントラストで画像を表示可能な表示装置が必要となる。表示装置は、例えば、バックライトから照射された光を、液晶パネルで透過して画像を表示する液晶表示装置がある。液晶表示装置で、高コントラストの画像を表示するために、バックライトの発光領域ごとに輝度を制御するローカルディミング制御を行い、バックライトからコントラストの高い照射光を照射することがある。また、より精細な高コントラスト画像を得るために、ローカルディミング制御を行う発光領域は、細分化されることが望ましい。このために、バックライトに配置される光源は高密度に配置される。
【０００４】
さらに、液晶表示装置で、高輝度の画像を表示するためには、バックライトから照射する光の輝度を、高める必要がある。特許文献１には、画像に応じて個別に発光を制御される複数の主ＬＥＤ光源と複数の副ＬＥＤ光源とを備えるＬＥＤバックライト装置が記載されている。特許文献１のＬＥＤバックライト装置は、各主ＬＥＤ光源に対応する画像の明るさに応じて各主ＬＥＤ光源（メイン光源）の発光を制御し、さらに、明るい画像がある場合に対応する副ＬＥＤ光源（サブ光源）を点灯して輝度を強めることが開示されている。
【先行技術文献】
【特許文献】
【０００５】
【特許文献１】特開２０１３―１４３２３９号公報
【発明の概要】
【発明が解決しようとする課題】
【０００６】
しかしながら、上述した従来の技術では、主ＬＥＤ光源と副ＬＥＤ光源とが高密度に配置されている場合に、副ＬＥＤ光源から発する熱により、隣接する主ＬＥＤ光源の温度が上昇する場合がある。主ＬＥＤ光源の温度が上昇することにより、主ＬＥＤ光源から照射される光の波長が変化することや、主ＬＥＤ光源の発光特性が変化する。例えば、高輝度領域が長時間存在する場合に、長時間点灯した副ＬＥＤ光源に隣接する主ＬＥＤ光源が、温度上昇により発光が不安定になる場合があった。
【０００７】
そこで、本発明は、サブ光源の駆動により発生する熱量が、メイン光源に伝わることを抑制し、安定的にメイン光源からの発光を得ることが可能な照明装置、およびその照明装置を用いる表示装置を提供することを目的とする。
【課題を解決するための手段】
【０００８】
上述した課題を解決するために、本発明の一実施形態に係る照明装置は、照射面から光を発する照明装置であって、個別に発光を制御可能な複数の第１光源が配置される第１基板と、前記第１基板よりも前記照射面側に設けられ、個別に発光を制御可能な複数の第２光源が配置される第２基板と、前記第２基板の裏面に配置され、前記第２光源から発せられた熱を放散する放熱部材と、前記第１基板、前記第２基板、および前記第１放熱部材を収容し、前記照射面に開口を有する筺体と、を備えることを特徴とする。
【発明の効果】
【０００９】
本発明によれば、メイン光源が設けられたメイン基板とサブ光源が設けられたサブ基板とが異なる基板から成り、さらに、照射面と各基板の距離が異なるように配置される。これにより、基板間の熱の伝わりを抑制しながら、高密度に光源を配置することが可能となる。
【００１０】
したがって、サブ光源の駆動により発生する熱量が、メイン光源に伝わることを抑制し、安定にメイン光源からの発光を得ることが可能となる。
【図面の簡単な説明】
【００１１】
【図１】液晶表示装置１００の装置構成図である。
【図２】液晶表示装置１００の断面図である。
【図３】液晶表示装置１００の機能ブロック図である。
【図４】画像領域の輝度値と、各光源の発光量との関係を示す模式図である。
【図５】バックライト４の各光源と、各光源の照射領域を示す模式図である。
【図６】画像を表示する場合の各光源の点灯の様子を示す模式図である。
【発明を実施するための形態】
【００１２】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形が可能であり、それらを本発明の範囲から除外するものではない。即ち、各実施形態及びその変形例を組み合わせた構成も全て本発明に含まれるものである。
【００１３】
（第１の実施例）
図１は、第１の実施例における液晶表示装置１００の装置構成を示す装置構成図である。液晶表示装置は、フレーム１、液晶パネル２、光学シート３、バックライト４、および駆動基板５を備える。
【００１４】
フレーム１は、液晶表示装置１００のカバー部材でありＳＥＣＣの鋼板を用いた板厚０．８ｍｍの板金部品である。裏面には図示ない弾性体の部材が開口部の周囲に貼り付けられ液晶パネル２を保持し塵埃の侵入を防止する部材である。
【００１５】
液晶パネル２は、背面側に設けられたバックライト４から照射された光を、各画素に設けられた液晶素子を用いて透過して、前面側に画像を表示する透過型の表示パネルである。液晶パネル２は、画素ごとに、赤色のカラーフィルターを備える赤色の光を透過する副画素と、緑色のカラーフィルターを備える緑色の光を透過する副画素と、青色のカラーフィルターを備える青色の光を透過する副画素と、を備える。
【００１６】
光学シート３は、液晶パネル２の背面に配置され、バックライト４から照射された光を、拡散、または集光して、前面側に透過する光学部材である。光学シート３の裏面が、バックライト４の照射面であるとする。すなわち、光学シート３は、バックライト４の照射面に配置されるといえる。例えば、光学シート３は、輝度向上シート、プリズムシート、反射シート、拡散板の光学シートが複数種類重ね合わせて配置されるとする。
【００１７】
駆動基板５は、液晶パネル２およびバックライト４の駆動を制御するための回路基板である。駆動基板５は、液晶パネル２およびバックライト４を駆動させるための電源を供給する電源基板を含んでいてもよい。例えば、駆動基板５は図１に示すように、液晶表示装置１００の背面側に配置されるとする。駆動基板５は、ベースプレート４６の裏面にカシメ加工された別部材のボスによって固定され、各光源基板とＢｏａｒｄ  ｔｏ  Ｂｏａｒｄコネクタで接続される。なお、駆動基板５の一部もしくはすべては、液晶表示装置１００の側面にもうけられるものであってもよい。
【００１８】
バックライト４は、照射面から前面側に配置された液晶パネル２に光を照射する照明装置である。バックライト４の照射面は、バックライト４から光が発する面である。本実施例において、照射面は、バックライト４と光学シート３との界面の長方形の面であるとする。バックライト４は、バックライトケース４１、反射シート４２、サブ光源基板４３、メイン光源基板４４、ヒートシンク４５、およびベースプレート４６を備える。図１と図２とを用いて、バックライト４の構造について説明する。図２は、液晶表示装置１００の使用時において下側からみた、液晶表示装置１００の中央付近の断面図である。図２は、説明のため、メイン光源基板４４が照射面の長手方向に３枚、サブ光源基板４３が照射面の長手方向に４枚、交互に並んでいる場合について示す。
【００１９】
バックライトケース４１は、液晶パネル２と光学シート３を保持する枠状の保持部材である。また、バックライトケース４１は、サブ光源基板４３およびメイン光源基板４４に配置された光源と、光学シート３との距離（拡散距離）を、規定する部材である。バックライトケース４１は、後述する放熱空間Ｄの端部に対応する位置に吸気孔または排気口を備える。バックライトケース４１は、ベースプレート４６と、後述する各部材を収容する筺体を形成する。
【００２０】
反射シート４２は、サブ光源基板４３およびメイン光源基板４４に配置された光源から発せられた光が照射面から発せられるように、前面側に反射する反射部材である。反射シート４２は、反射効率の高い材料を表面に有する。例えば、反射シート４２は、超微細発泡ＰＥＴ（ポリエチレンテレフタレート）シートを折り曲げて形成された部品であるとする。反射シート４２は、後述するように、交互に異なる高さで配置されたサブ光源基板４３とメイン光源基板４４とを覆うように配置される。また、各基板に配置された複数の光源が、前面側に露出するように、複数の光源に対応する複数の開口を有する。
【００２１】
また、反射シート４２は、後述する複数のメイン光源基板４４との間を隔てる隔壁として機能する部材である。この反射シート４２の隔壁によって、メイン光源基板４４から発せられた光が広がりすぎることを抑制することが可能となる。
【００２２】
サブ光源基板４３とメイン光源基板４４とは、それぞれサブ光源６１と、メイン光源６２とが配置される短冊状の分割された基板である。バックライト４は、個別に発光量を制御可能な複数のサブ光源基板４３と、個別に発光量を制御可能な複数のメイン光源基板４４とを備える。また、サブ光源基板４３とメイン光源基板４４とは、それぞれ裏面にＢｏａｒｄ  ｔｏ  Ｂｏａｒｄコネクタが実装されているとする。
【００２３】
例えば、サブ光源６１は、単体で白色光を発する白色ＬＥＤであるとする。また、メイン光源６２は、１つの赤色の光を発する赤色ＬＥＤと、２つの緑色の光を発する緑色ＬＥＤと、１つの青色の光を発する青色ＬＥＤと、を備えるＬＥＤ光源クラスタ（光源群）からなる。メイン光源６２は、各ＬＥＤから発せられた色の混色により白色光を発する光源であるとする。
【００２４】
また、本実施例において、メイン光源６２間の距離（ピッチ）Ｐは、メイン光源６２の拡散距離（メイン光源６２から照射面までの距離）Ｌと、同等程度の距離であるとする。これにより、メイン光源６２のクラスタ構成の光源群から発せられた各色の光が照射面に到達するまでに十分混色し、白色の光を得ることが可能となる。なお、拡散距離Ｌと光源間のピッチＰとの関係は上述に限らない。
【００２５】
なお、サブ光源６１とメイン光源６２とは、上述の構成に限らない。それぞれ任意の光源を選択することが可能である。例えば、サブ光源６１とメイン光源６２とがともに白色ＬＥＤであってもよい。同様に、サブ光源６１とメイン光源６２とがともにクラスタ構成の光源群であってもよい。ＬＥＤ光源は、駆動時の光源の温度により、発せられる光の波長が変化する温度依存性がある。
【００２６】
サブ光源基板４３は、メイン光源基板４４よりもバックライト４の照射面側（前面側）に配置される。すなわち、バックライト４において、サブ光源６１の拡散距離は、メイン光源６２の拡散距離よりも短い。これにより、メイン光源基板４４のうち１つのメイン光源６２から照射された光が照射する照射面の領域Ｒｍよりも、サブ光源基板４３のうち１つのサブ光源６１から照射された光が照射する照射面の領域Ｒｓは狭い。したがって、サブ光源６１を点灯することにより照射面から発せられる光の輝度を局所的に高めることが可能となる。また、サブ光源６１を補助的に点灯させることにより、照射面から照射される光の分布にハローが発生することを抑制することが可能となる。
【００２７】
サブ光源基板４３とメイン光源基板４４とは、バックライト４を前面側からみた場合に、照射面と平行な方向に、交互に配置される。例えば、サブ光源基板４３とメイン光源基板４４とは、照射面の長手方向に交互に配置されるとする。なお、各基板が交互に配置される方向は、照射面の短手方向であってもよい。つまり、サブ光源基板４３とメイン光源基板４４とは、照射面と平行な方向に交互に段差をつけて配置されると言える。
【００２８】
なお、サブ光源基板４３とメイン光源基板４４とが交互に配置される方向において、もっとも外側には、サブ光源基板４３が配置されることが望ましい。パネル周囲に配置された拡散距離が近い光源を制御することにより画面周囲が暗くなることを抑制することが可能となる。
【００２９】
反射シート４２は、サブ光源基板４３およびメイン光源基板４４を覆うシートであり、サブ光源基板４３の背面に、サブ光源基板４３の裏面と反射シート４２とベースプレートと４６とからなる貫通方向の放熱空間Ｄを形成する。複数のサブ光源基板４３と複数のメイン光源基板４４とが交互に配置される場合、各サブ光源基板４３の裏面に形成された放熱空間Ｄは、反射シート４２によりそれぞれ独立に隔てられている。また、複数のサブ光源基板４３と複数のメイン光源基板４４とが、交互に配置される方向（照射面の長手方向）に対して、垂直な方向（照射面の短手方向）に延びる短冊状の形状であることから、放熱空間Ｄは、照射面の短手方向に延びる空間である。
【００３０】
ヒートシンク４５は、サブ光源基板４３の背面に設けられ、サブ光源基板４３から発生した熱を放散する放熱部材である。ヒートシンク４５は、アルミニウムの押出し部材であるとする。ヒートシンク４５は、Ｂｏａｒｄ  ｔｏ  Ｂｏａｒｄコネクタを逃がす開口部と固定するための取り付け穴が加工された形状であるとする。ヒートシンク４５は、サブ光源基板４３の背面側に熱を放散する。したがって、ヒートシンク４５は、放熱空間Ｄにサブ光源基板４３から発生した熱を放散する。
【００３１】
各放熱空間Ｄの内部の空気は、対応するサブ光源基板４３のサブ光源６１が駆動することにより発生する熱により、温度が上昇する。したがって、各放熱空間Ｄの内部に、液晶表示装置１００の使用時において下方から上方へ流れる空気の流れ（対流）が発生する。これにより、放熱空間Ｄの下側の端部から外気が吸入され、放熱空間Ｄの上側の端部から暖められた空気が排出される。これにより、サブ光源基板４３の放熱が可能となる。なお、放熱空間Ｄの排気は、上述のような対流によるものでなく、ファン等の排気機構を設けることにより実現するものであってもよい。
【００３２】
ベースプレート４６は、液晶表示装置１００のベースになる強度部材である。ベースプレート４６の周囲には、バックライトケース４１が取付けられる。ベースプレート４６は、バックライトケース４１と反射シート４２、サブ光源基板４３、メイン光源基板４４、およびヒートシンク４５を収容する筺体を形成する。ベースプレート４６は、熱伝導性に優れ、剛性な材質で制作される。例えば、ベースプレート４６は、アルミ合金の板厚５．０ｍｍを折り曲げ加工により形成された部材であるとする。
【００３３】
ベースプレート４６は、拡散距離が異なるサブ光源基板４３とメイン光源基板４４とヒートシンク４５とを固定する為のボスがカシメ加工により取り付けられている。また、ベースプレート４６のうち、メイン光源基板４４の背面に対応する領域の背面にはヒートシンク４７が配置される。ヒートシンク４７は、ベースプレート４６の熱をバックライト４の外側に放散する放熱部材である。ヒートシンク４７は、アルミニウムの押出し部材であるとする。
【００３４】
ベースプレート４６は、ヒートシンク４７を介してメイン光源基板４４の放熱を行い、複数のメイン光源基板４４の均熱化を行う放熱部材である。例えば、メイン光源基板４４は、ベースプレート４６に接触して配置されるとする。メイン光源６２を駆動することにより発せられた熱は、メイン光源基板４４を介して、ベースプレート４６に伝わる。ベースプレート４６に伝わった熱は、ベースプレート４６もしくはヒートシンク４７を介して、バックライト４の外側に放出される。
【００３５】
すなわち、サブ光源基板４３とメイン光源基板４４とから発せられた熱はそれぞれ異なる放熱経路で、外部に放出される。したがって、サブ光源基板４３で発生した熱が、メイン光源基板４４に伝わって、メイン光源６２の温度に影響を与えることを抑制することが可能となる。
【００３６】
次に、液晶表示装置１００に画像を表示する際の、動作について説明する。図３は、液晶表示装置１００の機能ブロック図である。駆動回路５は、映像処理部５１、表示制御部５２、発光制御部５３、および駆動部５４を備える。
【００３７】
映像処理部５１は、入力画像を複数の画像領域に分割し、画像領域毎の輝度値を算出する。
【００３８】
表示制御部５２は、映像処理部５１が算出した各画像領域の輝度値を基にバックライトの輝度に応じて各画素の明るさを変換する。また、発光制御部５３が決定した各画像領域に対応するサブ光源６１、およびメイン光源６２の発光量に基づいて、各画像領域の画像信号を補正する。
【００３９】
発光制御部５３は、バックライト４のサブ光源６１、およびメイン光源６２の制御部であり映像処理部５１で算出された輝度値に基づいて各画像領域に対応するサブ光源６１、およびメイン光源６２の発光量を決める。
【００４０】
図４は、映像処理部５１が算出した各画像領域の輝度値に対して、対応するサブ光源６１とメイン光源６２との発光量を示す模式図である。図４の横軸は、画像領域の輝度値を示す。図４の縦軸は、対応する各光源の発光量を示す。図４の点線は、サブ光源６１の発光量を示す。また、図４の実線は、メイン光源６２の発光量を示す。例えば、画像領域の輝度値が２００ｃｄ／ｍ２以下である場合、画像領域の輝度値に応じて画像領域に対応するメイン光源６２の発光量が変化し、対応するサブ光源６１は点灯しない。メイン光源６２が点灯した場合に、最大２００ｃｄ／ｍ２までの表示が可能である。
【００４１】
画像領域が２００ｃｄ／ｍ２より明るい場合、その画像領域に対応するサブ光源６１が発光する。これにより、画像を表示するために必要な発光量を得る事が可能となる。例えば、サブ光源６１とメイン光源６２とにより、最大６００ｃｄ／ｍ２の輝度値の画像まで表示が可能である。発光制御部５３は、映像処理部５１から取得した各画像領域の輝度値に基づいて、各光源の発光量を決定する。
【００４２】
なお、サブ光源６１が点灯する明るさは、メイン光源６２のみの点灯で表示可能な明るさの最大値よりも低い値でもよい。例えば、メイン光源６２のみの点灯で表示可能な明るさの最大値に対して８０％の明るさより明るい場合に、対応するサブ光源６１の駆動が開始されるものであってもよい。サブ光源６１の点灯を開始する画像領域の輝度値は、所定の明るさをユーザが選択することも可能である。
【００４３】
駆動部５４は、発光制御部５３が決定した発光量に基づいて、サブ光源６１、およびメイン光源６２を駆動させる。
【００４４】
図５は、バックライト４に設けられた各光源と、各光源の照射光の照射面における領域を示す正面図である。図５（ａ）は、バックライト４の前面から見た正面図である。図４の上下方向は、液晶表示装置１００の使用時における上下方向であるとする。バックライト４は、４つの縦方向に延びる短冊状の形状のサブ光源基板４３ａ〜４３ｄと、３つの縦方向に延びる短冊状の形状のメイン光源基板４４Ａ〜４４Ｃとが、横方向に交互に配置されているとする。
【００４５】
サブ光源基板４３ａ〜４３ｄは、サブ光源６１がそれぞれ３つずつ縦方向に並べて配置される。メイン光源基板４４Ａ〜４４Ｃは、メイン光源６２がそれぞれ３つずつ縦方向に並べて配置される。各光源を区別するために、横方向に対応する基板の添え字（ａ〜ｄ、Ａ〜Ｃ）と、縦方向に上からｘ、ｙ、ｚの添え字とを用いて示すとする。例えば、サブ光源基板４３ａの中央（ｙ）に設けられたサブ光源６１をサブ光源６１ａｙと示すとする。また、メイン光源基板４４Ｃの下側（ｚ）に設けられたメイン光源６２をメイン光源６２Ｃｚと示すとする。
【００４６】
図５（ｂ）は、各メイン光源６２から発せられた光の照射面における領域を示す模式図である。各メイン光源６２から発せられた光は、照射面において矩形の照射領域Ｒｍを形成するとする。各メイン光源６２に対応する照射領域Ｒｍは、上述の添え字を用いて示すとする。例えば、メイン光源６２Ｂｘに対応する照射領域Ｒｍは、領域Ｒｍ（Ｂ，ｘ）と示すとする。各メイン光源６２は、隣接する照射領域Ｒｍの端部が重なる領域を有するように配置されるとする。
【００４７】
図５（ｃ）は、各サブ光源６１から発せられた光の照射面における領域を示す模式図である。各サブ光源６１から発せられた光は、照射面において矩形の照射領域Ｒｓを形成するとする。各サブ光源６１に対応する照射領域Ｒｓは、上述の添え字を用いて示すとする。例えば、サブ光源６１ｂｘに対応する照射領域Ｒｓは、領域Ｒｓ（ｂ，ｘ）と示すとする。各サブ光源６１は、隣接する照射領域Ｒｓのエッジ同士が接するように配置されるとする。すなわち、照射領域Ｒｓは、他の照射領域Ｒｓと重ならない。なお、各サブ光源６１は、照射領域Ｒｓが円形の領域となり、隣接する照射領域Ｒｓが重なる領域を有するように配置されるものであってもよい。
【００４８】
図６は、液晶表示装置１００に入力された画像を示した模式図と、画像を表示する場合の各光源の点灯の様子を示す模式図である。図６（Ａ）は、液晶表示装置１００に入力された画像を示した模式図である。液晶表示装置１００に入力された画像は、黒（≒０ｃｄ／ｍ２）の背景の中央の右側に６００ｃｄ／ｍ２の円形のオブジェクトが表示された画像であるとする。
【００４９】
図６（Ｂ）は、図６（Ａ）の画像に基づいて発光量を制御した場合の、メイン光源６２の点灯動作を示した模式図である。図６（Ｂ）の点線で示した矩形枠線は、図６（Ａ）の画像領域全体の外形を示す。図６（Ｂ）の点線で示した円形枠線は、図６（Ａ）の円形のオブジェクトの外形を示す。図６の他の図面において、矩形枠線と円形枠線とは、同様である。
【００５０】
図４に示す画像領域の輝度値と発光量との関係により、各メイン光源６２に対応する照射領域Ｒｍのうち、円形のオブジェクトに対応する照射領域Ｒｍに対応するメイン光源６２の発光量が２００ｃｄ／ｍ２に決定される。つまり、円形のオブジェクトに対応する照射領域Ｒｍに対応するメイン光源６２は点灯するように制御される。
【００５１】
また、照射領域Ｒｍに円形オブジェクトが含まれない領域は、画像の輝度値が０ｃｄ／ｍ２であることから、対応するメイン光源６２の発光量は０ｃｄ／ｍ２となる。つまり、照射領域Ｒｍに円形オブジェクトが含まれない領域に対応するメイン光源６２は、消灯するように制御される。
【００５２】
図６（Ｂ）では、点灯するメイン光源６２を白色で示し、消灯するメイン光源６２を黒色で示している。具体的には、メイン光源６２Ａｘ〜６２Ａｚが消灯し、メイン光源６２Ｂｘ〜６２Ｂｚ、およびメイン光源６２Ｃｘ〜６２Ｃｚが点灯するように制御される。
【００５３】
図６（Ｃ）は、図６（Ａ）の画像に基づいて発光量を制御した場合の、サブ光源６１の点灯動作を示した模式図である。図４に示す画像領域の輝度値と発光量との関係により、各サブ光源６１に対応する照射領域Ｒｓのうち、円形のオブジェクトに対応する照射領域Ｒｓに対応するサブ光源６１の発光量が４００ｃｄ／ｍ２に決定される。つまり、円形のオブジェクトに対応する照射領域Ｒｓに対応するサブ光源６１は点灯するように制御される。
【００５４】
また、照射領域Ｒｓに円形オブジェクトが含まれない領域は、画像の輝度値が０ｃｄ／ｍ２であることから、対応するサブ光源６１の発光量は０ｃｄ／ｍ２となる。つまり、照射領域Ｒｓに円形オブジェクトが含まれない領域に対応するサブ光源６１は、消灯するように制御される。
【００５５】
図６（Ｃ）では、点灯するサブ光源６１を白色で示し、消灯するサブ光源６１を黒色で示している。具体的には、サブ光源６１ａｘ〜６１ａｚ、６１ｂｘ、および６１ｄｘ〜６１ｄｚが消灯し、サブ光源６１ｂｙ〜６１ｂｚ、およびサブ光源６１ｃｘ〜６１ｃｚが点灯するように制御される。
【００５６】
図６（Ｄ）は、上述のように点灯を制御した場合の、サブ光源６１およびメイン光源６２の点灯の様子を示した模式図である。上述のようにサブ光源６１およびメイン光源６２の点灯を制御することにより、円形オブジェクトが表示される領域に対応するサブ光源６１およびメイン光源６２が点灯するように制御され、６００ｃｄ／ｍ２の画像を表示することが可能となる。
【００５７】
上述の実施例に記載のバックライト４によれば、メイン光源６２よりも照射面との距離が短いサブ光源６１とを設けることにより、サブ光源６１による局所的な発光を得ることが可能となる。したがって、ハローの発生を抑制しながら、高輝度かつ高コントラストの光分布を得ることが可能となる。
【００５８】
また、メイン光源基板４４とサブ光源基板４３とを分離し、さらにメイン光源基板４４とサブ光源基板４３との放熱経路を異ならせることにより、サブ光源基板４３で発生した熱がメイン光源基板４４に伝わることを抑制することが可能となる。したがって、安定にメイン光源からの発光を得ることが可能となる。
【符号の説明】
【００５９】
１００  液晶表示装置
１  フレーム
２  液晶パネル
３  光学シート
４  バックライト
５  駆動基板
４１  バックライトケース
４２  反射シート
４３  サブ光源基板
４４  メイン光源基板
４５  ヒートシンク
６１  サブ光源
６２  メイン光源
【図１】
2018055881.tif 000003
【図２】
2018055881.tif 000004
【図３】
2018055881.tif 000005
【図４】
2018055881.tif 000006
【図５】
2018055881.tif 000007
【図６】
2018055881.tif 000008